(57)【要約】【課題】  カット紙及び連続紙に記録可能な記録装置において、設置スペースの増大を生じることなく、カット紙の排出経路及び連続紙の排出経路を形成することが可能な記録装置を提供する。【解決手段】  カット紙２および連続紙１に記録可能であり、記録した用紙を排出部３を通して排出する記録装置である。カット紙の排出経路を形成する第１の位置と連続紙の排出経路を形成する第２の位置との間で移動可能に排出部に設けられた切換トレイ４を備える。切換トレイの移動を駆動するための駆動手段９と、駆動手段の駆動を切換トレイに伝達するために伝動機構８とを備える。切換トレイ、駆動手段および伝動機構を記録装置の投影平面内にオーバーラップするように配置する。【選択図】  図１
2010069664.tif 000002
【特許請求の範囲】
【請求項１】
カット紙および連続紙に記録可能であり、記録した用紙を排出部を通して排出する記録装置において、
カット紙の排出経路を形成する第１の位置と連続紙の排出経路を形成する第２の位置との間で移動可能に前記排出部に設けられた切換トレイと、
前記切換トレイの移動を駆動するための駆動手段と、
前記駆動手段の駆動を前記切換トレイに伝達するために伝動機構と、
を備え、
前記切換トレイ、前記駆動手段および前記伝動機構を記録装置の投影平面内にオーバーラップするように配置することを特徴とする記録装置。
【請求項２】
用紙がカット紙であるか連続紙であるかを判別する検知手段を備え、検知結果に基づいて前記切換トレイの位置を制御することを特徴とする請求項１に記載の記録装置。
【請求項３】
連続紙を切断するためのカッタユニットを前記伝動機構とともに移動可能に設け、用紙が連続紙である場合は前記伝動機構の移動に伴って前記カッタユニットを切断位置へ移動させることを特徴とする請求項１または２に記載の記録装置。
【請求項４】
画像情報に基づいて記録ヘッドからインクを吐出して記録を行うインクジェット記録装置であることを特徴とする請求項１ないし３のいずれか１項に記載の記録装置。
【発明の詳細な説明】
【技術分野】
【０００１】
本発明は、カット紙および連続紙に対し記録ヘッドにより記録可能であり、記録した用紙を排出部を通して排出する記録装置に関する。
【背景技術】
【０００２】
プリンタ、複写機、ファクシミリ等の記録装置は、画像情報に基づいて記録ヘッドにより被記録材に画像を記録する。被記録材としては、紙やプラスチックシートなど、種々の材質の用紙が使用されている。用紙には、一定寸法にカットされたカット紙とロール紙等の連続紙がある。記録装置にもカット紙及び連続紙の両方に記録可能なものがある。そして、両方に記録可能な記録装置では、カット紙の排出経路と連続紙の排出経路を設け、これらを切換えるように構成したものがある。また、連続紙を用いる記録装置では、記録した用紙を切断するためのカッタユニットが設けられている。
【０００３】
特許文献１には、用紙の進入路に対して広い角度の第１の開口部と狭い角度の第２の開口部を有する円柱状の切換弁を使用し、カット紙の排出先と連続紙の排出先とを切り換える構成が開示されている。また、特許文献２には、用紙排出部に設けた切換ゲートをソレノイドにより揺動させることにより、記録された用紙をカット紙と連続紙とに仕分けする装置が記載されている。この装置では、切換ゲートにより、排出経路を下方へ向かう第１搬送路と水平方向に向かう第２の搬送路とに切換えている。
【特許文献１】特開平０５−０７７９９８号公報
【特許文献２】特開平０６−１１４７９５号公報
【発明の開示】
【発明が解決しようとする課題】
【０００４】
しかしながら、特許文献１の切換弁を使用する構成では、搬送経路の内部に切換弁の設置スペースが必要となり、装置全体が大きくなるという課題があった。また、切換弁に対して、連続紙のような大サイズの用紙を上方へ排出する構成であるため、連続紙の積載場所を確保するのが難しいという課題があった。仮に切換弁の上方に連続紙の積載場所を確保できたとしても、装置全体の設置スペースがさらに大きくなるという課題があった。また、特許文献２のようにソレノイドにより切換ゲートを揺動させて用紙を仕分けする構成では、搬送経路に切換ゲートやソレノイドを装着するスペースが必要となり、装置全体が大きくなるという課題があった。
【０００５】
本発明はこのような技術的課題に鑑みてなされたものである。本発明の目的は、カット紙及び連続紙に記録可能な記録装置において、設置スペースの増大を生じることなく、カット紙の排出経路及び連続紙の排出経路を形成することが可能な記録装置を提供することである。
【課題を解決するための手段】
【０００６】
本発明は、カット紙および連続紙に記録可能であり、記録した用紙を排出部を通して排出する記録装置において、カット紙の排出経路を形成する第１の位置と連続紙の排出経路を形成する第２の位置との間で移動可能に前記排出部に設けられた切換トレイと、前記切換トレイの移動を駆動するための駆動手段と、前記駆動手段の駆動を前記切換トレイに伝達するために伝動機構と、を備え、前記切換トレイ、前記駆動手段および前記伝動機構を記録装置の投影平面内にオーバーラップするように配置することを特徴とする。
【発明の効果】
【０００７】
本発明によれば、カット紙及び連続紙に記録可能な記録装置において、設置スペースの増大を生じることなく、カット紙の排出経路及び連続紙の排出経路を形成することが可能な記録装置が提供される。
【発明を実施するための最良の形態】
【０００８】
以下、図面を参照して本発明の実施形態を具体的に説明する。なお、各図面を通して同一符号は同一または対応部分を示すものである。図１は一実施形態に係る記録装置の斜視図である。図２は一実施形態に係る記録装置の切換トレイ、伝動機構及び駆動手段の斜視図である。図３はカット紙の排出経路を形成したときの縦断面図である。図４は連続紙の排出経路を形成したときの縦断面図である。記録装置３５は、縦横をカットされたカット紙２と長尺の連続紙１に記録可能である。また、記録装置３５はスタンド７に固定されている。
【０００９】
カット紙２はカセット２１に積載保持されており、連続紙１は連続紙保持部材２７に引き出し可能に巻回されている。カット紙２に記録する場合は、給紙ローラ２２を回転させて用紙を搬送ローラ２３へ給送し、さらに搬送ローラ２３を回転させてプラテン２４上の記録開始位置まで搬送する。プラテン２４の上方には、キャリッジ５１に搭載されて往復移動可能な記録ヘッド２５が配されている。プラテン２４上に支持されたカット紙２に対し、画像情報に基づいて記録ヘッド２５により画像を形成していく。本実施形態では、記録装置として、記録ヘッド２５からインクを吐出して記録を行うインクジェット記録装置を例示している。記録されたカット紙２は、排紙ローラ２６により排出部３を通して排出される。
【００１０】
排出部３には、カット紙２の排出経路を形成する第１の位置（図３）と連続紙１の排出経路を形成する第２の位置（図４）との間で移動可能な切換トレイ４が設けられている。切換トレイ４は記録装置に設けられた支軸２９を中心に回動移動するように取り付けられている。カット紙２に記録するときは、切換トレイ４は図３に示すような下方へ移動した第１の位置に保持されており、画像を記録した後の用紙は排紙ローラ２６により排出され、切換トレイ４の上面を介して略水平方向に配された載置トレイ５上に案内されて載置される。
【００１１】
排出部３の近傍には、切換トレイ４の移動を駆動するための駆動手段９と、駆動手段９の駆動を切換トレイ４に伝達するための伝動機構８とが設けられている。そして、切換トレイ４、駆動手段９および伝動機構８は記録装置の投影平面内にオーバーラップするように配置されている。伝動機構８は、その下方に配された駆動手段９により上下移動可能である。切換トレイ４は、伝動機構８の上下移動に連動して支軸２９を中心に回動移動することで、その上面でカット紙２の排出経路を形成する第１の位置（下降位置）と、その下側に連続紙１の排出経路を形成する第２の位置（上昇位置）とに切換え可能に保持されている。なお、切換トレイ４の上下移動は、回動移動または平行移動のいずれで行っても良く、さらに、回動移動と平行移動との組み合わせ、あるいは斜め移動などで行っても良い。
【００１２】
連続紙１は連続紙保持部材２７にロール状に巻回されて保持されている。連続紙１に記録を行う場合は、給紙ローラ２８を回転させて用紙を搬送ローラ２３へ給送し、さらに搬送ローラ２３を回転させてプラテン２４上の記録開始位置まで搬送する。そして、カット紙の場合と同様、プラテン２４上の連続紙１に対し、キャリッジ５１に搭載された記録ヘッド２５により画像を形成していく。記録された連続紙１は排紙ローラ２６により排出部３を通して排出される。連続紙１に記録を行う場合は、切換トレイ４は、駆動手段９により伝動機構８と連動して図４に示す第１の位置（上昇位置）に移動している。
【００１３】
また、排紙ローラ２６の搬送下流側には、連続紙１を切断するためのカッタユニット１０が配されている。カッタユニット１０は、伝動機構８とともに上下方向に移動可能に設けられている。そして、用紙が連続紙である場合、カッタユニット１０は、伝動機構８の第２の位置への上昇に伴って搬送経路内の切断位置へ移動する。記録された連続紙１は、切換トレイ４の下側を通して外部へ案内され、記録終了後にカッタユニット１０により切断されて用紙収納部６内へ落下する。そこで、排出部３の近傍に配された駆動手段９および伝動機構８、並びに支軸２９を中心に回動移動する切換トレイ４は、記録装置の投影平面内にオーバーラップするように配置されている。また、用紙収納部６も、記録装置の投影平面内にオーバーラップするように配置されている。
【００１４】
次に、伝動機構８および駆動手段９の構成について説明する。用紙を切断するためのカッタユニット１０は、搬送方向と交差する方向に延びるガイドレール１１に沿って往復移動可能である。カッタユニット１０およびガイドレール１１は伝動機構８の一部として構成されており、伝動機構８と共に上下移動可能である。すなわち、カッタユニット１０およびガイドレール１１は、カット紙２に記録するときは排紙を妨げない下方位置にあり、連続紙１に記録するときは排出経路内の用紙を切断可能な上方位置に上昇する。また、伝動機構８には、切換トレイ４の搬送上流側の端部を支持するための当接面１２が設けられている。
【００１５】
駆動手段９は、昇降モータ１３と、ギア列１４、第１の昇降カム１６、第２の昇降カム１７および案内溝１５を備えている。昇降モータ１３が駆動されると、ギア列１４を介して、第１の昇降カム１６および第２の昇降カム１７が回動される。第１の昇降カム１６のカム面１９は伝動機構８のカム受け面１８に当接しており、第２の昇降カム１７のカム面５３は切換トレイ４のカム受け面５５に当接している。第１の昇降カム１６および第２の昇降カム１７は、少なくとも２個が伝動機構８の両端部に配され、これに伴って、カム面１９、５３とカム受け面１８、５５も伝動機構８の両端部に配される。
【００１６】
案内溝１５は、駆動手段９の両端部において伝動機構８の移動方向と平行になるように形成されている。伝動機構８の両端部のガイド軸２０を各案内溝１５に係合させることにより、伝動機構８の上下移動を円滑にしている。以上の構成で昇降モータ１３を駆動すると、第１の昇降カム１６および第２の昇降カム１７が同時に連動して回動され、伝動機構８の上下方向の移動と、切換トレイ４の支軸２９を中心した回動による上下方向の移動とが同時に連動して行われる。このため、第１の昇降カム１６の位相を制御することにより、切換トレイ４と伝動機構８の位置制御を容易に行うことが可能となる。また、記録した連続紙１をカッタユニット１０で切断する場合には、第２の昇降カム１７を回動させることにより、切換トレイ４をカッタユニット１０よりも上方に退避させる。なお、本実施形態では、駆動手段９の両側に配される第１の昇降カム１６および第２の昇降カム１７を１個のモータ１３で駆動しているが、これは複数のモータを使用しても良い。
【００１７】
また、伝動機構８は、用紙を排出するための排出部３の近傍に切換トレイ４とオーバーラップするように配置されており、この伝動機構８は駆動手段９により上下方向に移動させられる。そして、伝動機構８の上下移動を利用して切換トレイ４を支軸２９を中心に回動させることにより、用紙の排出経路の切換動作が行われる。カット紙２に記録する場合は切換トレイ４を載置トレイ５と略平行な下方位置へ移動させ、連続紙１に記録する場合は切換トレイ４を下側に排出経路を形成するような上方位置へ移動させる。このような伝動機構８の移動動作に伴う切換トレイ４の切換動作は、後述するように、記録装置３５に設定される制御プログラムに従って実行される。
【００１８】
図５は切換トレイ４の切換動作の制御手段のブロック図である。本実施形態に係る記録装置は、用紙がカット紙であるか連続紙であるかを判別する検知手段を備え、検知結果に基づいて切換トレイ４の位置を制御するように構成されている。記録装置の制御部３０の入力ポート３１には、用紙種類検知手段３２、用紙サイズ検知手段３３、表示パネルに設ける操作ボタン（不図示）などからの情報が入力される。用紙種類検知手段３２では、排出される用紙が連続紙であるか、カット紙であるかが判別される。出力ポート３４には、選択された用紙収納部（例えば載置トレイ５またはスタッカ６）の表示部と、駆動手段９の昇降モータ１３に対する駆動信号出力部などが設けられている。
【００１９】
伝動機構８は昇降モータ１３により上下動され、伝動機構８の上下動作を利用して切換トレイ４を回動させることにより、切換トレイ４の位置が切り換えられる。切換トレイ４が下降位置（図３）にあるときにカット紙２の排出経路が形成され、上位置（図４）あるときに連続紙１の排出経路が形成される。入力ポート３１に接続される用紙種類検知手段３２の情報として、カット紙２の給紙ロール紙２２および連続紙１の給紙ローラ２８の動作情報を用いることができる。
【００２０】
図６は切換トレイ４の切換動作のフローチャートである。記録装置３５の記録動作が開始されると、まず、用紙が連続紙１であるかカット紙２であるかの判別を行う（ステップＳ１）。連続紙１である場合は、駆動手段９により伝動機構８を上方へ移動させる（ステップＳ２）。これにより、切換トレイ４が上位置（第２の位置）となり、切換トレイ４の下側に連続紙１の排出経路が形成される。このとき、カッタユニット１０も伝動機構８とともに上位置に移動し、用紙を切断するために待機位置となる。この状態で連続紙１に画像を記録し、記録が終了するとカッタユニット１０で連続紙１を切断する（ステップＳ３）。切断で切り離された用紙は、切換トレイ４を介してスタッカ６へ案内されて収納される（ステップＳ４）。一方、残りの連続紙１は、次の記録に備えて、記録開始位置へ戻される。
【００２１】
用紙がカット紙２である場合は、駆動手段９により伝動機構８を下方へ移動させる（ステップＳ５）。これにより、切換トレイ４およびカッタユニット１０が下位置（第１の位置）となり、切換トレイ４の上面にカット紙２の排出経路が形成される。この状態でカット紙２に画像を記録し、記録が終了したカット紙は切換トレイ４の上面に沿って載置トレイ５上へ案内される。本実施形態によれば、切換トレイ４、伝動機構８および駆動手段９を記録装置の投影平面内にオーバーラップさせる配置において、以上のような排出経路の切り換えを行うことで、記録装置３５全体の設置スペースを小さくすることができる。
【００２２】
なお、以上の実施形態では、記録ヘッドをキャリッジに搭載するシリアルタイプの記録装置を例に挙げて説明した。本発明は、紙送りのみで１ラインずつ一括して画像を形成するラインタイプの記録装置にも同様に適用可能である。また、用紙の材質も、紙、プラスチックシート、写真調印画紙、布などの他、シート状の用紙であれば広く使用することができる。
【図面の簡単な説明】
【００２３】
【図１】一実施形態に係る記録装置の斜視図である。
【図２】一実施形態に係る記録装置の切換トレイ、伝動機構及び駆動手段の斜視図である。
【図３】カット紙の排出経路を形成したときの縦断面図である。
【図４】連続紙の排出経路を形成したときの縦断面図である。
【図５】切換トレイの切換動作の制御手段のブロック図である。
【図６】切換トレイの切換動作のフローチャートである。
【符号の説明】
【００２４】
１      連続紙
２      カット紙
３      排出部
４      切換トレイ
５      載置トレイ
６      スタッカ
８      伝動機構
９      駆動手段
１０    カッタユニット
１３    昇降モータ
２３    搬送ローラ
２５    記録ヘッド
２６    排紙ローラ
３０    制御部
３２    用紙種類検知手段
３５    記録装置
【図１】
2010069664.tif 000003
【図２】
2010069664.tif 000004
【図３】
2010069664.tif 000005
【図４】
2010069664.tif 000006
【図５】
2010069664.tif 000007
【図６】
2010069664.tif 000008